(57)【要約】【課題】無線機送受信モジュールの出力信号を有線で他の複数の無線機送受信モジュールに伝送するために、すべてのポートでインピーダンスの整合が取れ、各ポート間で挿入損が一定で、安価且つ小型な分配器を提供する。【解決手段】  分配器１００は、ポート１〜６を有し、配線基板１１に６本の信号伝送線路１２を配線され、各信号伝送線路１２の一端は分岐点１３に接続される。また、各信号伝送線路１２には、直列抵抗１４が設けられている。配線基板１１はシールドケース１６により囲われている。各信号伝送線路１２に配置される直列抵抗１４は、同じ抵抗値を有する。また、並列抵抗１５は分岐点１３に接続される。また、信号伝送線路１２は、コプレーナ線路によって構成され、各信号伝送線路１２間にグランド面を有する。これにより、分配、減衰機能を共に有し、安価且つ小型化を図ることができる。【選択図】        図２
2006005656.tif 000002
【特許請求の範囲】
【請求項１】
無線機送受信モジュールの出力信号を有線で他の複数の無線機送受信モジュールに伝送する際に、上記無線機送受信モジュールから出力される高周波信号を複数に分配する分配器において、
上記高周波信号を伝送するための３つ以上の信号伝送線路と、
上記信号伝送線路の一端が接続される分岐点とを備え、
上記信号伝送線路には、上記分岐点において抵抗が直列に配置される
ことを特徴とする分配器。
【請求項２】
上記複数の信号伝送線路に配置される抵抗は、同じ抵抗値を有する
ことを特徴とする請求項１に記載の分配器。
【請求項３】
上記信号伝送線路に並列に接続される抵抗をさらに備える
ことを特徴とする請求項１に記載の分配器。
【請求項４】
上記信号伝送線路に並列に接続される抵抗は、
上記信号伝送線路の間に、各伝送線路について対称な複数の位置に配置されている
ことを特徴とする請求項３に記載の分配器。
【請求項５】
上記信号伝送線路に並列に接続される抵抗は、銅箔によって形成される
ことを特徴とする請求項３に記載の分配器。
【請求項６】
上記信号伝送線路は、コプレーナ線路、ストリップ線路、あるいはマイクロストリップ線路によって構成され、各信号伝送線路間にグランド面を有する
ことを特徴とする請求項１に記載の分配器。
【請求項７】
上記信号伝送線路、分岐点および抵抗を囲われるシールドケースをさらに備える
ことを特徴とする請求項１に記載の分配器。
【請求項８】
高周波信号を伝送するための３つ以上の信号伝送線路と、上記信号伝送線路の一端が接続される分岐点とを備え上記分岐点において抵抗が直列と並列に配置される分配器を用い、複数の無線機送受信モジュールの間に有線で通信を行う通信方法において、
上記複数の無線機送受信モジュールの入力または出力端子をケーブルで上記信号伝送線路に接続し、
上記複数の無線機送受信モジュールのうち１つから通信信号を送信し、
上記通信信号は上記分岐点を介して減衰された信号が均等に分配され、接続される他の無線機送受信モジュールが同じ状態で受信を行う
ことを特徴とする通信方法。
【発明の詳細な説明】
【技術分野】
【０００１】
この発明は、無線機送受信モジュールの信号を有線で送受信するための３つ以上の複数のポートを有する分配器および通信方法に関する。詳しくは、無線機送受信モジュールの出力信号を有線で他の複数の無線機送受信モジュールに伝送する際に、無線機送受信モジュールから出力される高周波信号を複数に分配する分配器において、高周波信号を伝送するための３つ以上の信号伝送線路と、各信号伝送線路の一端が接続される分岐点とを備え、その分岐点において各信号伝送線路には、抵抗が直列と並列に配置され、各直流抵抗と並列抵抗の定数を適切に選択する構成とすることによって、すべてのポートでインピーダンスの整合が取れ、各ポート間で挿入損が一定となるため、各無線機が同じ状態で通信を行うことができると共に、小型化を図ることができるようにした分配器等に係るものである。
【背景技術】
【０００２】
無線機または無線機用ソフトウエアの評価・開発を行う場合、外部からのノイズや反射波の影響を受けずに安定して通信できる状態を作り出すため、無線機同士を同軸ケーブル等の有線で接続することがある。
【０００３】
従来、１つの信号を２つに分割する分配器は広く知られている。（例えば、特許文献１参照）。
【０００４】
この場合、電力分配器は、入力端子と、２つの分配端子と、入力端子および分配端子の間をそれぞれ接続する設定波長の１／４、または設定波長の１／４と半波長の整数倍の線路長を有する２つの分岐線路と、分配端子間に接続されたアイソレーション抵抗とを備えたものである。
【０００５】
また、１つの入力ポートから入力された信号を複数の出力ポートに分配する分配器が提案されている（例えば、特許文献２参照）。
【０００６】
この場合、高周波電力分配合成器は、高周波電力を複数に分配し、または、これらを合成する電力分配合成器であって、誘電体基板上に積層された誘電体多層薄膜および金属薄膜とによって形成されるスロット回路、平行平板状の平衡線路、コプレーナ線路、マイクロストリッブ線路およびストリッブ線路等の伝送線路によって構成され、
特性インピーダンスＺのスロット線路または平行平板状線路からなる第１の線路を、特性インピーダンスＺ／２のスロット線路または平行平板状平衡線路からなる第２および第３の線路に接続することによって構成した直列２分配回路と、特性インピーダンスＺ’のコプレーナ線路、マイクロストリップ線路またはストリップ線路からなる第４の線路を、特性インピーダンス２Ｚ’のコプレーナ線路、マイクロストリップ線路またはストリップ線路からなる第５の線路および第６の線路の接続することによって構成した並列２分配回路と、直列２分配回路と並列分配回路との間に接続される第２および第３の線路と第４の線路とを接続する線路変換部を備え、１つの直列分配回路に２つの並列分配回路を接続し、第１の線路のインピーダンスをＺｏとするときに、第５および第６の線路の各々における特性インピーダンスがＺｏに等しくなるように構成したものである。
【０００７】
また、マイクロ波電力分配器が提案されている（例えば、特許文献３参照）。この場合、電力分配を行う部分を導波管構造としているため、伝送損失が低減できる。
【０００８】
【特許文献１】特開２０００−３０７３１３号公報（第２，３頁、第１図）
【特許文献２】特開平９−２４６８１７号公報（第３，４頁、第１図）
【特許文献３】特開平８−２９３７０７号公報（第３，４頁）
【発明の開示】
【発明が解決しようとする課題】
【０００９】
無線機または無線機用ソフトウエアの評価・開発を行う場合、外部からのノイズや反射波の影響を受けずに安定して通信できる状態を作り出すためには、外来のノイズを避け、各無線機の発振する電波のみを受け取れる状況にする必要がある。また、直接波と反射波の干渉の影響を避けるため、無線端末を有線で接続することが望ましい。
【００１０】
しかし、従来の高周波信号分配器であるウィルキンソンカプラやハイブリッドカプラ、あるいはそれらの組み合わせでは、各ポート間の挿入損を一定にするような評価・開発システムを組むことができない。従来の分配器や減衰器を組み合わせることで理想的な状態ではないが使用可能な評価・開発システムを組んだとしても大掛かりな構成になってしまう。
【００１１】
例えば、上述した特許文献１の場合、すべてのポート間で等しく信号を分配するような無線機評価系を組むことができない。また、信号の強度を所望の値に設定するために分配器と減衰器を組み合わせて使用する必要があり、複雑で大掛かりなネットワークを構築する必要があるという欠点があった。
【００１２】
また、上述した特許文献２の場合、入力ポート、出力ポートが特定され、すべてのポート間で挿入損が一定にはならないため、３つ以上の無線機の評価には利用できない。
【００１３】
また、無線機を評価するために上述した特許文献３の低損失の分配器を用いる場合、信号強度が強すぎるため受信側で信号が歪むという問題がある。そのため、安定した無線通信を行うためには、ある程度に減衰した信号を受信側に送る必要がある。
【００１４】
そこで、この発明は、すべてのポートでインピーダンスの整合が取れ、各ポート間で挿入損が一定で、各無線機が同じ状態で通信を行うことができると共に、安価且つ小型化を図ることができるようにした分配器および通信方法を提供することを目的とする。
【課題を解決するための手段】
【００１５】
この発明に係る分配器は、無線機送受信モジュールの出力信号を有線で他の複数の無線機送受信モジュールに伝送する際に、無線機送受信モジュールから出力される高周波信号を複数に分配する分配器において、高周波信号を伝送するための３つ以上の信号伝送線路と、各信号伝送線路の一端が接続される分岐点とを備え、その分岐点において各信号伝送線路には、抵抗が直列と並列に配置されるものである。
【００１６】
また、この発明に係る通信方法は、高周波信号を伝送するための３つ以上の信号伝送線路と、信号伝送線路の一端が接続される分岐点とを備え、その分岐点において抵抗が直列と並列に配置される分配器を用い、複数の無線機送受信モジュールの間に有線で通信を行う通信方法において、複数の無線機送受信モジュールの入力または出力端子をケーブルで上記信号伝送線路に接続し、複数の無線機送受信モジュールのうち１つから通信信号を送信し、通信信号は分岐点を介して減衰された信号が均等に分配され、接続される他の無線機送受信モジュールが同じ状態で受信を行うものである。
【００１７】
この発明においては、３つ以上の信号伝送線路が一点に接続され、各信号伝送線路に抵抗が直列に配置されている。例えば、複数の信号伝送線路に配置される抵抗は、同じ抵抗値を有する。また信号伝送線路に並列に接続される抵抗をさらに備える。また例えば、各信号伝送線路に並列に接続される抵抗は、信号伝送線路の間に、各伝送線路について対称な複数の位置に配置されている。また、信号伝送線路は、コプレーナ線路、ストリップ線路、またはマイクロストリップ線路によって構成され、各信号伝送線路間にグランド面を有する。
【００１８】
また、分配器において、信号伝送線路、分岐点および抵抗を囲われるシールドケースをさらに備える。
【００１９】
これらの構造を有し、さらに直列抵抗と並列抵抗の定数を適切に選択することで、分配、減衰機能を共に有し、入力ポートと出力ポートの区別をなくし、すべてのポートでインピーダンスの整合が取れ、各ポート間で挿入損が一定となるため、各無線機が同じ状態で通信を行うことができると共に、小型化を図ることが可能となる。
【００２０】
従って、従来のように分配器、減衰器、終端器等高周波部品を複雑に組み合わせる必要がなく、評価したい無線機を分配器に接続するだけで多端末無線通信の評価・開発システムを構築することが可能であるので、直感的且つ容易に評価・開発を行うことが可能となる。
【発明の効果】
【００２１】
この発明によれば、無線機送受信モジュールの出力信号を有線で他の複数の無線機送受信モジュールに伝送する際に、無線機送受信モジュールから出力される高周波信号を複数に分配する分配器において、高周波信号を伝送するための３つ以上の信号伝送線路と、各信号伝送線路の一端が接続される分岐点とを備え、各信号伝送線路には、抵抗が直列に配置されるものであり、すべてのポートでインピーダンスの整合が取れ、各ポート間で挿入損が一定となるため、各無線機が同じ状態で通信を行うことができると共に、小型化を図ることができる。
【発明を実施するための最良の形態】
【００２２】
以下、図面を参照しながら、この発明の実施の形態の分配器および通信方法について説明する。
図１は、多端末の無線通信の状態を示す図である。図１に示すように、各無線機間の伝送損失は無線機間の距離およびアンテナの利得などによって決まるが、ここでは例として−５０ｄＢとしている。
【００２３】
無線機または無線機用ソフトウエアの評価・開発のために、安定した多端末無線通信の状態を作り出すためには、外来のノイズを避け、各無線機の発振する電波のみを受け取れる状況にする必要がある。また、直接波と反射波の干渉の影響を避けるため、無線端末を有線で接続することが望ましい。即ち、無線端末を有線で接続し、図１と同様な通信環境を実現するため、すべてのポートでインピーダンスの整合が取れ、各ポート間で挿入損が一定となる分配器が必要となる。
【００２４】
図２は、本発明の第１の実施の形態としての分配器１００の構成を示す図である。図２に示すように、分配器１００は、ポート１〜６と、配線基板１１と、信号伝送線路１２と、分岐点１３と、直列抵抗１４と、並列抵抗１５と、シールドケース１６とを備える。
【００２５】
ポート１〜６は、同軸ケーブルにより無線機と接続するための端子である。この６つのポート１〜６を用いて６つの無線機と接続することができる。各ポート１〜６には伝送線路１２が接続されている。
【００２６】
信号伝送線路１２は、各ポート１〜６に接続されている５０Ωの伝送線路である。分岐点１３は、６本の信号伝送線路１２を接続するための接続点である。この分岐点１３より通信信号は分配される。
【００２７】
直列抵抗１４は、信号伝送線路１２に直列に接続されるものである。ここで、各直列抵抗１４の一端を、分岐点１３に接続するようになされる。また、各直列抵抗１４の抵抗値は等しい値に設定される。
【００２８】
並列抵抗１５は、分岐点１３に接続され、各信号伝送線路１２に並列に配置されている。この直列抵抗１４および並列抵抗１５の抵抗値により、各ポート間の減衰量を所望値に調整することが可能である。この例では、１つの並列抵抗１５が設けられている。なお、並列抵抗１５は、銅箔によって形成されるようにしてもよい。
【００２９】
また、シールドケース１６は、外部からのノイズの影響を低減するためのものである。このシールドケース１５は、配線基板１１を含む分配器回路全体を覆うようになされる。
【００３０】
各信号伝送線路１２に接続されている直列抵抗１４の抵抗値ｒ（Ω）は、以下の式により算出される。この場合、ポート数をｎ個とし、各ポート間の減衰量をＡ（ｄＢ）、信号伝送線路１２の特性インピーダンスを５０Ωとすると、ｒ（Ω）は、
ｒ＝５０×（１−１０A/20）／（１＋１０A/20）
また、並列抵抗１５の抵抗値ｓ（Ω）は、以下の式により算出される。
ｓ＝１００×１０A/20／｛（１＋１０A/20）×（１−（ｎ−１）×１０A/20）｝
【００３１】
ここで、上式により、各ポート間の減衰量が−５０ｄＢになるように直列抵抗１４の抵抗値ｒ（Ω）、および並列抵抗１５の抵抗値ｓ（Ω）を設定した場合、後述図４のように、分配器１００に無線機を接続したとき、上述した図１と同じ通信環境を有線で実現することができる。
【００３２】
図３は、配線基板の構成例を示す図である。図３に示すように、信号伝送線路１２は、コプレーナ線路によって構成され、各信号伝送線路１２間にグランド面１７を有する。これにより、各信号伝送線路１２間の信号干渉など影響を低減することができる。また、後述するように。並列抵抗１５は、各信号伝送線路１２間に、各伝送線路について対称な複数の位置に配置されている。分配器１００の場合、１つの並列抵抗１５が配置される。
【００３３】
図４は、分配器１００を用いた多端末無線通信の評価・開発システムを示す図である。図４に示すように、６つのポートを有する分配器１００において、４つの無線機１〜４が接続されている。無線機１〜４との接続は、無線機送受信モジュールの入力または出力端子を同軸ケーブルで分配器１００のポート１，２，４，６に接続するようになされる。ポートにスペクトラムアナライザ等の測定器を接続して各無線機が送受信する信号を観測することもできる。減衰分配器の６つのポートの特性はすべて共通であるので、図４に示す接続方法に限らず、無線機１〜４および測定器を分配器１００のどのポートに接続しても良い。これにより、上述した図１に示す多端末無線通信状態を実現することができる。
【００３４】
図４において、無線機が接続されていないポート、例えばポート５は５０Ωのターミネータで終端されることが望ましいが、各ポート間の減衰量が大きいとき、例えば減衰量が−５０ｄＢのとき、ポート１からポート５を通ってポート４に抜ける信号は、ポート１から直接にポート４に抜ける信号よりも５０ｄＢ小さく、無視することができるので、ターミネータを接続しなくとも評価・開発に十分なシステムを構築することができる。
【００３５】
分配器１００を用いて通信を行う場合、図４に示すように、複数の無線機１〜４のＲＦ端子をそれぞれポートに接続し、複数の無線機１〜４のうち１つ（例えば、無線機１）から通信信号を送信し、通信信号は各信号伝送線路１２を接続する分岐点１３を介して均等に減衰されて他のポートに分配される。これにより、各無線機２〜４が同じ状態で通信を行うようにされる。なお、他の無線機が通信信号を送信する場合も同様である。また、複数の無線機から同時に通信信号を送信する場合も同様に行うことができる。
【００３６】
このように本実施の形態においては、ポート１〜６を有し、配線基板１１に６本の信号伝送線路１２を配線され、各信号伝送線路１２の一端は分岐点１３に接続される。また、各信号伝送線路１２には、直列抵抗１４が設けられている。配線基板１１はシールドケース１６により囲われている。各信号伝送線路１２に配置される直列抵抗１４は、同じ抵抗値を有する。また、並列抵抗１５は分岐点１３とグランド面１７の間に接続される。また、信号伝送線路１２は、コプレーナ線路によって構成され、各信号伝送線路１２間にグランド面１７を有する。
【００３７】
これにより、分配、減衰機能を共に有し、入力ポートと出力ポートの区別をなくし、すべてのポートでインピーダンスの整合が取れ、各ポート間で挿入損が一定となるため、各無線機が同じ状態で通信を行うことができると共に、小型化を図ることができる。
【００３８】
その結果、従来のように分配器、減衰器、終端器等高周波部品を複雑に組み合わせる必要がなく、評価したい無線機を分配器に接続するだけで多端末無線通信の評価・開発システムを構築することができるので、直感的且つ容易に評価・開発を行うことができる。
【００３９】
図５は、本発明の第２の実施の形態としての分配器２００の構成を示す図である。この図５において、図２と対応する部分には、同一符号を付し、その詳細説明は省略する。
図５に示すように、分配器２００は、ポート１〜４と、配線基板１１と、信号伝送線路１２と、分岐点１３と、直列抵抗１４と、並列抵抗１５と、シールドケース１６とを備える。
【００４０】
この分配器２００は、４本の信号伝送線路１２と４つのポート１〜４とを有する。また、４つの並列抵抗１５が信号伝送線路１２と交互に配置され、各並列抵抗１５の一端は分岐点１３に接続されている。このように信号伝送線路１２の間に並列抵抗１５が各伝送線路について対称な複数の位置に配置されているので、各信号伝送線路間のアイソレーションを高め、各ポート間の挿入損失を均一化することができる。
【００４１】
この場合、直列抵抗１４と並列抵抗１５の抵抗値ｒ（Ω），ｓ（Ω）は、上述した計算式を用いて求められる。ただし抵抗値ｓ（Ω）は分岐点１３に接続されるすべての並列抵抗を合成した値である。
【００４２】
減衰量が大きいとき、上述した計算式により並列抵抗ｓ（Ω）は小さい値になる。抵抗値ｓ（Ω）の値が十分小さいとき、並列抵抗１５は、チップ抵抗等を介さずに分岐点１３を直接銅箔などによってグランドに接続するようにしても良い。
【００４３】
このように本実施の形態においては、分配器２００は、ポート１〜４を有し、配線基板１１に４本の信号伝送線路１２を配線され、各信号伝送線路１２の一端は分岐点１３に接続される。また、各信号伝送線路１２には、直列抵抗１４が設けられている。配線基板１１はシールドケース１６により囲われている。また、各信号伝送線路１２に配置される直列抵抗１４は、同じ抵抗値を有する。また、並列抵抗１５は分岐点１３とグランド面１７の間に接続される。また、信号伝送線路１２は、コプレーナ線路によって構成され、各信号伝送線路１２間にグランド面を有する。
【００４４】
これにより、分配、減衰機能を共に有し、入力ポートと出力ポートの区別をなくし、すべてのポートでインピーダンスの整合が取れ、各ポート間で挿入損が一定となるため、各無線機が同じ状態で通信を行うことができると共に、小型化を図ることができる。
【００４５】
その結果、従来のように分配器、減衰器、終端器等高周波部品を複雑に組み合わせる必要がなく、評価したい無線機を分配器に接続するだけで多端末無線通信の評価・開発システムを構築することができるので、直感的且つ容易に評価・開発を行うことができる。
【００４６】
図６は、本発明の第３の実施の形態としての分配器３００の構成を示す図である。この図６において、図２と対応する部分には、同一符号を付し、その詳細説明は省略する。
図６に示すように、分配器３００は、ポート１〜６と、配線基板１１と、信号伝送線路１２と、分岐点１３と、直列抵抗１４と、シールドケース１６とを備える。この分配器３００は、６つのポート１〜６を有し、上述した分配器１００の並列抵抗１５が省略されたもの、即ち並列抵抗ｓ（Ω）の値が無限大になったものである。直列抵抗１４の抵抗値ｒ（Ω）は、上述した計算式を用いて求められる。
【００４７】
このように本実施の形態においては、分配器３００は、ポート１〜６を有し、配線基板１１に６本の信号伝送線路１２を配線され、各信号伝送線路１２の一端は分岐点１３に接続される。また、各信号伝送線路１２には、直列抵抗１４が設けられている。配線基板１１はシールドケース１６により囲われている。また、各信号伝送線路１２に配置される直列抵抗１４は、同じ抵抗値を有する。
【００４８】
これにより、分配、減衰機能を共に有し、入力ポートと出力ポートの区別をなくし、すべてのポートでインピーダンスの整合が取れ、各ポート間で挿入損が一定となるため、各無線機が同じ状態で通信を行うことができると共に、小型化を図ることができる。
【００４９】
その結果、従来のように分配器、減衰器、終端器等高周波部品を複雑に組み合わせる必要がなく、評価したい無線機を分配器に接続するだけで多端末無線通信の評価・開発システムを構築することができるので、直感的且つ容易に評価・開発を行うことができる。
【００５０】
図７は、本発明の第４の実施の形態としての分配器４００の構成を示す図である。この図７において、図２と対応する部分には、同一符号を付し、その詳細説明は省略する。
図７に示すように、分配器４００は、ポート１〜６と、配線基板１１と、信号伝送線路１２と、分岐点１３と、直列抵抗１４と、並列抵抗１５と、シールドケース１６とを備える。
【００５１】
図７に示す分配器４００は、６つのポートを有するものである。並列抵抗１５は、分岐点１３以外の位置、即ち信号伝送線路１２上に接続されている。
【００５２】
このように本実施の形態においては、分配器４００は、ポート１〜６を有し、配線基板１１に６本の信号伝送線路１２を配線され、各信号伝送線路１２の一端は分岐点１３に接続される。また、各信号伝送線路１２には、直列抵抗１４が設けられている。配線基板１１はシールドケース１６により囲われている。また、各信号伝送線路１２に配置される直列抵抗１４は、同じ抵抗値を有する。また、並列抵抗１５は分岐点１３以外の位置に接続される。また、信号伝送線路１２は、コプレーナ線路によって構成され、各信号伝送線路１２間にグランド面を有する。
【００５３】
これらの構造を有し、さらに直列抵抗と並列抵抗の定数を適切に選択することで、分配、減衰機能を共に有し、入力ポートと出力ポートの区別をなくし、すべてのポートでインピーダンスの整合が取れ、各ポート間で挿入損が一定となるため、各無線機が同じ状態で通信を行うことができると共に、小型化を図ることができる。
【００５４】
その結果、従来のように分配器、減衰器、終端器等高周波部品を複雑に組み合わせる必要がなく、評価したい無線機を分配器に接続するだけで多端末無線通信の評価・開発システムを構築することができるので、直感的且つ容易に評価・開発を行うことができる。
【００５５】
なお、上述実施の形態においては、４つおよび６つのポートを有するものについて説明したが、これに限定されるものではない。ポートの数は３以上の任意の数に設定することができる。
【００５６】
また、上述実施の形態においては、各ポート間の減衰量は−５０ｄＢとした例について説明したが、これに限定されるものではない。
【００５７】
また、上述実施の形態においては、各信号伝送線路１２の直列抵抗１４が同じ抵抗値としたが、これに限定されるものではない。必要に応じて異なる抵抗値にしてもよい。
【産業上の利用可能性】
【００５８】
以上のように、この発明に係る分配器および通信方法は、無線機の評価・開発または無線機用ソフトウエアの評価・開発を行う際に、無線機の信号を有線で送受信し、理想の無線通信状態と同様な通信環境を形成する場合に利用できる。
【図面の簡単な説明】
【００５９】
【図１】多端末の無線通信状態の例を示す図である。
【図２】第１の実施の形態としての分配器１００の構成例を示す図である。
【図３】配線基板の構成例を示す図である。
【図４】分配器１００を用いた多端末無線通信の評価・開発システムを示す図である。
【図５】第２の実施の形態としての分配器２００の構成例を示す図である。
【図６】第３の実施の形態としての分配器３００の構成例を示す図である。
【図７】第４の実施の形態としての分配器４００の構成例を示す図である。
【符号の説明】
【００６０】
１，２，３，４，５，６・・・ポート、１１・・・配線基板、１２・・・信号伝送線路、１３・・・分岐点、１４・・・直列抵抗、１５・・・並列抵抗、１６・・・シールドケース、１７・・・グランド面、１００，２００，３００，４００・・・分配器
【図１】
2006005656.tif 000003
【図２】
2006005656.tif 000004
【図３】
2006005656.tif 000005
【図４】
2006005656.tif 000006
【図５】
2006005656.tif 000007
【図６】
2006005656.tif 000008
【図７】
2006005656.tif 000009